(57)【要約】【課題】ユーザのサイズ設定操作を必要とすることなく、メニュー画面等の重畳画面を適切なサイズで表示させる。【解決手段】システム制御部１６は、ディスプレイ装置２で変換可能な解像度の種類を示す第２の解像度情報をディスプレイ装置２から取得し、映像出力装置１で変換可能な解像度の種類を示す第１の解像度情報とディスプレイ装置２から取得した第２の解像度情報とを照合して、その結果により、映像画面に重畳表示させるＧＵＩ画面のサイズを決定する。【選択図】図１
2009025343.tif 000002
【特許請求の範囲】
【請求項１】
外部から入力されるコンテンツ映像に重畳して表示させるグラフィックス画面である重畳画面を生成するグラフィック生成手段と、
前記コンテンツ映像の解像度を変換する第１の解像度変換手段と、
前記グラフィック生成手段で生成された前記重畳画面の解像度およびサイズを変換する第２の解像度変換手段と、
前記第１の解像度変換手段で解像度変換された前記コンテンツ映像と、前記第２の解像度変換手段で解像度変換およびサイズ変換された前記重畳画面とを合成して合成映像データを生成する合成手段と、
前記第１の解像度変換手段および前記第２の解像度変換手段で変換可能な解像度の種類を示す第１の解像度情報を記憶する記憶手段と、
本装置に接続されて前記合成映像データを出力して表示するディスプレイ装置で処理可能な解像度の種類を示す第２の解像度情報を前記ディスプレイ装置から取得する解像度情報取得手段と、
前記記憶手段に記憶された前記第１の解像度情報と、前記解像度情報取得手段で取得した前記第２の解像度情報とを照合して、前記ディスプレイ装置へ出力する前記合成映像データの表示解像度を決定するとともに、この表示解像度に基づいて前記重畳画面のサイズを決定する照合手段と、
前記表示解像度に基づいて前記コンテンツ映像の解像度を変換するように前記第１の解像度変換手段を制御する第１の制御手段と、
前記表示解像度および前記重畳画面のサイズに基づいて前記重畳画面の解像度およびサイズを変換するように前記第２の解像度変換手段を制御する第２の制御手段と
を備えることを特徴とする映像出力装置。
【請求項２】
外部から入力されるコンテンツ映像に重畳して表示させるグラフィックス画面である重畳画面を生成するグラフィック生成手段と、
前記コンテンツ映像の解像度を変換する第１の解像度変換手段と、
前記グラフィック生成手段で生成された前記重畳画面の解像度およびサイズを変換する第２の解像度変換手段と、
前記第１の解像度変換手段で解像度変換された前記コンテンツ映像と、前記第２の解像度変換手段で解像度変換およびサイズ変換された前記重畳画面とを合成して合成映像データを生成する合成手段と、
前記第１の解像度変換手段および前記第２の解像度変換手段で変換可能な解像度の種類を示す第１の解像度情報を記憶する記憶手段と、
本装置に接続されて前記合成映像データを出力して表示するディスプレイ装置で処理可能な解像度の種類を示す第２の解像度情報を前記ディスプレイ装置から取得する解像度情報取得手段と、
前記ディスプレイ装置の物理的な画面サイズを示す画面サイズ情報を前記ディスプレイ装置から取得する画面サイズ情報取得手段と、
前記記憶手段に記憶された前記第１の解像度情報と、前記解像度情報取得手段で取得した前記第２の解像度情報とを照合して、前記ディスプレイ装置へ出力する前記合成映像データの表示解像度を決定するとともに、この表示解像度および前記画面サイズ情報に基づいて前記重畳画面のサイズを決定する照合手段と、
前記表示解像度に基づいて前記コンテンツ映像の解像度を変換するように前記第１の解像度変換手段を制御する第１の制御手段と、
前記表示解像度および前記重畳画面のサイズに基づいて前記重畳画面の解像度およびサイズを変換するように前記第２の解像度変換手段を制御する第２の制御手段と
を備えることを特徴とする映像出力装置。
【発明の詳細な説明】
【技術分野】
【０００１】
本発明は、映像出力装置に関する。
【背景技術】
【０００２】
近年、液晶テレビ、プラズマテレビ、リアプロジェクション型テレビ等、ＡＶ機器における映像表示装置の大画面化が進み、地上デジタル放送のエリア拡大もあいまってその普及が進んできている。ＤＶＤプレーヤやＤＶＤレコーダ等の映像信号装置についても、同様の状況にある。
【０００３】
一方、ユーザがテレビ番組や録画記録した番組などを再生することにより所望の映像を視聴している場合に、その視聴番組内容や視聴環境など、そのときどきの状況に応じてテレビ等のＡＶ機器の操作性や機能を最適に設定するためや、電子番組表（ＥＰＧ：Electronic Program Guide）を利用した番組録画予約をするときなどに用いられるＧＵＩ（Graphical User Interface）表示のように、通常のＡＶ機器に多様なメニュー画面が備えられていることは、もはや説明を要しないほど一般化している。
【０００４】
大型化された表示画面にメニュー画面のＧＵＩ表示を行う場合、表示画面の大型化に比例してＧＵＩ表示領域がそれだけ大きくなり、さらに表示される文字等のサイズもそれだけ大きくなってしまう。したがって、テレビ番組もしくは再生映像を視聴中のユーザがメニュー画面を大型画面に表示させたときに、表示画面上に表示されるメニュー画面と、それを構成する文字等のサイズが必要以上に大きく表示されるので、ユーザにとっては円滑な視聴の妨げとなることがある。
【０００５】
そこで、上記のような不都合を解消するために、さまざまな技術が提案されている。特許文献１では、リモートコントローラ等の入力装置と表示画面との間の距離を検出して、その操作距離に応じたサイズと表示位置とを一定のプログラムで自動的に算定することにより、メニュー画面等のＧＵＩ表示を適正に行わせる技術が提案されている。
【０００６】
また、特許文献２では、メニュー画面等のＧＵＩ表示について、そのサイズをユーザ所望のレベルに自由に変更が可能であり、視聴中の番組等の映像を妨げないような画面表示を可能とする映像表示装置を有するＡＶ機器が提案されている。
【特許文献１】特開平７−２７４０８７号公報
【特許文献２】特開２００６−１５７６８４号公報
【発明の開示】
【発明が解決しようとする課題】
【０００７】
特許文献１に開示された技術では、メニュー画面を適正なサイズに連続的に変更することが可能である。しかし、一定のプログラムに基づいてリモートコントローラ等の入力装置と表示画面との距離に対応して機械的にメニュー画面の変更が実施されてしまうので、例えばディスプレイの表示能力とは関係無しにメニュー画面のサイズが設定され、その表示能力に対して大きすぎたり、その逆に小さすぎたりして、表示されたメニュー画面の文字などが判別しづらくなることがあった。
【０００８】
また、特許文献２に開示された技術では、ユーザ自身がメニュー画面のサイズ設定を手動で行わなければならず、煩わしかった。また、画面サイズを設定する際に、ディスプレイそのものの設定画面を操作するときは効果を有するが、ＤＶＤプレーヤやＤＶＤレコーダ等の映像出力装置のような接続機器をリモコン操作するときは、接続されるディスプレイを特定できず、表示させる各種設定画面をどのぐらいの大きさに設定すればよいか接続機器側では判断がつかず、ユーザのサイズ設定操作を必要としていた。
【０００９】
本発明は上記に鑑みてなされたもので、ユーザのサイズ設定操作を必要とすることなく、メニュー画面等の重畳画面を適切なサイズでディスプレイ装置に表示させることができる映像出力装置を提供することを目的とする。
【課題を解決するための手段】
【００１０】
上記目的を達成するため、本発明の映像出力装置は、外部から入力されるコンテンツ映像に重畳して表示させるグラフィックス画面である重畳画面を生成するグラフィック生成手段と、前記コンテンツ映像の解像度を変換する第１の解像度変換手段と、前記グラフィック生成手段で生成された前記重畳画面の解像度およびサイズを変換する第２の解像度変換手段と、前記第１の解像度変換手段で解像度変換された前記コンテンツ映像と、前記第２の解像度変換手段で解像度変換およびサイズ変換された前記重畳画面とを合成して合成映像データを生成する合成手段と、前記第１の解像度変換手段および前記第２の解像度変換手段で変換可能な解像度の種類を示す第１の解像度情報を記憶する記憶手段と、本装置に接続されて前記合成映像データを出力して表示するディスプレイ装置で処理可能な解像度の種類を示す第２の解像度情報を前記ディスプレイ装置から取得する解像度情報取得手段と、前記記憶手段に記憶された前記第１の解像度情報と、前記解像度情報取得手段で取得した前記第２の解像度情報とを照合して、前記ディスプレイ装置へ出力する前記合成映像データの表示解像度を決定するとともに、この表示解像度に基づいて前記重畳画面のサイズを決定する照合手段と、前記表示解像度に基づいて前記コンテンツ映像の解像度を変換するように前記第１の解像度変換手段を制御する第１の制御手段と、前記表示解像度および前記重畳画面のサイズに基づいて前記重畳画面の解像度およびサイズを変換するように前記第２の解像度変換手段を制御する第２の制御手段とを備えることを特徴とする。
【００１１】
また、本発明の映像出力装置は、外部から入力されるコンテンツ映像に重畳して表示させるグラフィックス画面である重畳画面を生成するグラフィック生成手段と、前記コンテンツ映像の解像度を変換する第１の解像度変換手段と、前記グラフィック生成手段で生成された前記重畳画面の解像度およびサイズを変換する第２の解像度変換手段と、前記第１の解像度変換手段で解像度変換された前記コンテンツ映像と、前記第２の解像度変換手段で解像度変換およびサイズ変換された前記重畳画面とを合成して合成映像データを生成する合成手段と、前記第１の解像度変換手段および前記第２の解像度変換手段で変換可能な解像度の種類を示す第１の解像度情報を記憶する記憶手段と、本装置に接続されて前記合成映像データを出力して表示するディスプレイ装置で処理可能な解像度の種類を示す第２の解像度情報を前記ディスプレイ装置から取得する解像度情報取得手段と、前記ディスプレイ装置の物理的な画面サイズを示す画面サイズ情報を前記ディスプレイ装置から取得する画面サイズ情報取得手段と、前記記憶手段に記憶された前記第１の解像度情報と、前記解像度情報取得手段で取得した前記第２の解像度情報とを照合して、前記ディスプレイ装置へ出力する前記合成映像データの表示解像度を決定するとともに、この表示解像度および前記画面サイズ情報に基づいて前記重畳画面のサイズを決定する照合手段と、前記表示解像度に基づいて前記コンテンツ映像の解像度を変換するように前記第１の解像度変換手段を制御する第１の制御手段と、前記表示解像度および前記重畳画面のサイズに基づいて前記重畳画面の解像度およびサイズを変換するように前記第２の解像度変換手段を制御する第２の制御手段とを備えることを特徴とする。
【発明の効果】
【００１２】
本発明の映像出力装置によれば、ユーザのサイズ設定操作を必要とすることなく、メニュー画面等の重畳画面を適切なサイズでディスプレイ装置に表示させることができる。
【発明を実施するための最良の形態】
【００１３】
以下、本発明を実施するための最良の形態について、図面を参照して説明する。
【００１４】
図１は本発明の実施の形態に係る映像出力装置およびそれに接続されるディスプレイ装置の構成を示すブロック図である。図１に示す映像出力装置１は、ＨＤＭＩ（High Definition Multimedia Interface）規格に準拠したいわゆるＨＤＭＩ出力機器であり、例えば主にＤＶＤを再生するための装置である。なお、図１には映像処理に関連する構成のみを示している。
【００１５】
図１に示すように本実施の形態に係る映像出力装置１は、ＧＵＩグラフィック生成部１１と、解像度変換部１２と、映像合成部１３と、ＨＤＭＩ変換部１４と、コネクタ部１５と、システム制御部１６と、メモリ１７とを備える。
【００１６】
ＧＵＩグラフィック生成部１１は、各種設定メニュー画面やＥＰＧ画面に使用されるＧＵＩ画面のグラフィックスデータを生成し、この生成したＧＵＩなどのグラフィックスデータを解像度変換部１２に出力する。
【００１７】
解像度変換部１２は、ＧＵＩグラフィック生成部１１によって生成されたＧＵＩなどのグラフィックスデータの解像度を、システム制御部１６からの制御指令により変換し、解像度が変換されたグラフィックスデータを映像合成部１３に出力する。
【００１８】
映像合成部１３は、外部から入力されるコンテンツの映像データの解像度を、システム制御部１６からの制御指令により変換するとともに、解像度が変換されたコンテンツの映像データと、解像度変換部１２によって解像度が変換されたグラフィックスデータとを合成して合成映像データを生成し、この合成映像データをＨＤＭＩ変換部１４に出力する。
【００１９】
ＨＤＭＩ変換部１４は、システム制御部１６からの制御指令により、映像合成部１３で生成された合成映像データをＨＤＭＩ規格のデータに変換し、ＨＤＭＩ規格に対応した合成映像データをコネクタ部１５に出力する。
【００２０】
コネクタ部１５は、ディスプレイ装置２に接続されたＨＤＭＩケーブル３を接合するためのものである。ＨＤＭＩ変換部１４から出力されたＨＤＭＩ規格の合成映像データは、コネクタ部１５を介してディスプレイ装置２に出力される。
【００２１】
システム制御部１６は、マイクロコンピュータ等からなり、映像出力装置１に設けられた各部を統括的に制御する。
【００２２】
メモリ１７は、解像度変換部１２でグラフィックスデータの解像度を変換する際、および映像合成部１３でコンテンツの映像データの解像度を変換する際に変換可能な解像度の種類を示す情報（第１の解像度情報）を予め記憶している。
【００２３】
本実施の形態に係る映像出力装置１に接続されるディスプレイ装置２としては、例えばＨＤＭＩ規格に準拠したいわゆるＨＤＭＩシンク機器が用いられる。図１に示すようにディスプレイ装置２は、ＨＤＭＩ制御部２１と、メモリ２２とを備える。
【００２４】
ＨＤＭＩ制御部２１は、例えばＨＤＣＰ（High-bandwidth Digital Content Protection）のための処理を行う。
【００２５】
メモリ２２は、ＥＤＩＤ（Extended-Display Identification Data）情報を格納している。ＥＤＩＤ情報には、ディスプレイ装置２で処理可能な解像度の種類を示す情報（第２の解像度情報）、ディスプレイ装置２における物理的な画面サイズを示す画面サイズ情報等が含まれている。
【００２６】
次に、映像出力装置１の動作について、図２に示すフローチャートを参照して説明する。
【００２７】
まず、ステップＳ１０において、システム制御部１６は、コネクタ部１５にＨＤＭＩケーブル３を介してディスプレイ装置２が接続されているか否かを判断する。ディスプレイ装置２が接続されている場合（ステップＳ１０：ＹＥＳ）、ステップＳ２０において、システム制御部１６は、ディスプレイ装置２のメモリ２２からＥＤＩＤ情報を取得する。ディスプレイ装置２が接続されていない場合（ステップＳ１０：ＮＯ）、ステップＳ１０の処理を繰り返す。
【００２８】
次いで、ステップＳ３０において、システム制御部１６は、メモリ１７から第１の解像度情報を読み出し、この第１の解像度情報と、ＥＤＩＤ情報に含まれる第２の解像度情報とを照合して、ディスプレイ装置２へ出力して表示させる映像データの解像度（表示解像度）を決定する。そして、システム制御部１６は、入力されるコンテンツの映像データの解像度を、決定した表示解像度に変換するように映像合成部１３に制御信号を送信する。
【００２９】
次いで、ステップＳ４０において、システム制御部１６は、ステップＳ３０で決定した表示解像度において適切なＧＵＩ画面のサイズを決定する。そして、システム制御部１６は、表示解像度に基づいてグラフィックスデータの解像度を変換するとともに、決定したＧＵＩ画面のサイズに基づいてグラフィックスデータにサイズの変換処理を施すように解像度変換部１２に制御信号を送信する。
【００３０】
次いで、ステップＳ５０において、システム制御部１６は、ＧＵＩ画面を表示させる指示が外部から入力されたか否かを判断する。ＧＵＩ画面を表示させる指示が入力された場合（ステップＳ５０：ＹＥＳ）、ステップＳ６０において、システム制御部１６は、解像度変換されたコンテンツの映像データと、解像度変換部１２からのグラフィックスデータとを合成して、合成映像データを生成するように映像合成部１３に制御信号を送信する。
【００３１】
次いで、ステップＳ７０において、システム制御部１６は、映像合成部１３で生成された合成映像データをＨＤＭＩ規格のデータに変換するようにＨＤＭＩ変換部１４に制御信号を送信する。
【００３２】
次いで、ステップＳ８０において、システム制御部１６は、ＨＤＭＩ規格に対応した合成映像データを、コネクタ部１５を介してディスプレイ装置２に出力するようにＨＤＭＩ変換部１４に制御信号を送信する。そして、ディスプレイ装置２において、映像出力装置１からの合成映像データに基づいて、ＧＵＩ画面が重畳された映像が表示画面に表示される。
【００３３】
ステップＳ５０においてＧＵＩ画面を表示させる指示が入力されない場合（ステップＳ５０：ＮＯ）は、コンテンツの映像データのみがＨＤＭＩ規格のデータに変換され（ステップＳ７０）、ディスプレイ装置２に出力される（ステップＳ８０）。
【００３４】
本実施の形態において表示されるＧＵＩ画面の一例を図３に示す。図３に示す例では、１０８０×１９２０画素の画面に対して、ＧＵＩ画面は４８０×７２０画素のサイズで重畳表示されている。このようにディスプレイ装置２が高解像度出力能力を有する場合には、ＧＵＩ画面は小さくても十分識別、操作可能のため小さく表示され、図４に示す従来のＧＵＩ画面の表示例のように、ＧＵＩ画面が映像画面全体を占有することがない。
【００３５】
上記説明のように、本実施の形態によれば、ディスプレイ装置２で処理可能な解像度の種類を示す情報を取得し、この情報を用いて、映像画面に重畳するＧＵＩ画面のサイズを設定するので、ＧＵＩ画面を適切なサイズでディスプレイ装置２に表示させることができる。
【００３６】
また、ディスプレイ装置２の表示能力に応じたＧＵＩ画面が自動的に提供されるので、ユーザは、ＧＵＩ画面のサイズの設定に手間を煩わされることがない。
【００３７】
（変形例）
上記実施の形態では、ディスプレイ装置２で処理可能な解像度の種類を用いて適切なサイズにＧＵＩ画面サイズを決定したが、この際に、ディスプレイ装置２の物理的な画面サイズを加味して、ＧＵＩ画面サイズを決定するようにしてもよい。
【００３８】
本変形例の映像出力装置の構成および基本的な動作は上記実施の形態と同様であるが、図２に示すフローチャートのステップＳ４０において、システム制御部１６は、ステップＳ３０で決定した表示解像度、およびステップＳ２０で取得したＥＤＩＤ情報に含まれる画面サイズ情報に基づいて、適切なＧＵＩ画面のサイズを決定する。
【００３９】
本変形例により表示されるＧＵＩ画面の例を図５〜図８に示す。図５は画面サイズ４６インチの標準解像度（ＳＤ）のディスプレイ装置、図６は画面サイズ２０インチの標準解像度のディスプレイ装置、図７は画面サイズ４６インチの高解像度（ＨＤ）のディスプレイ装置、図８は画面サイズ２０インチの高解像度のディスプレイ装置にそれぞれＧＵＩ画面を表示した例を示している。
【００４０】
図５〜図８に示すように、本変形例においては、同じ画面サイズのディスプレイ装置では、高解像度のディスプレイ装置のほうが、画面全体に対するＧＵＩ画面の比率が小さくなるようにＧＵＩ画面のサイズを決定することに加えて、同じ解像度のディスプレイ装置では、画面サイズが大きいほうが、画面全体に対するＧＵＩ画面の比率が小さくなるようにＧＵＩ画面のサイズを決定する。
【００４１】
このようにディスプレイ装置の物理的な画面サイズを加味することにより、実際の画面サイズに応じてＧＵＩ画面サイズを設定することができ、ＧＵＩ画面をより適切なサイズで表示することができる。
【００４２】
なお、上記説明ではＨＤＭＩ接続について説明したが、他の接続手段（例えばＤＬＮＡなどのＬＡＮ接続、Ｉ−ＬＩＮＫなどのＩＥＥＥ１３９４接続、その他の有線または無線の接続手段）でも、ディスプレイ装置の処理可能な解像度情報やディスプレイ装置の物理的な画面サイズの情報を取得できる接続手段であればよく、ＨＤＭＩ接続に限定されるものではない。
【００４３】
また、ＧＵＩ画面サイズ設定に限定されず、裏番組や編集画面等を表示するサブ画面サイズ設定にも有効である。
【図面の簡単な説明】
【００４４】
【図１】本発明の実施の形態に係る映像出力装置およびそれに接続されるディスプレイ装置の構成を示すブロック図である。
【図２】図１に示す映像出力装置の動作を示すフローチャートである。
【図３】本発明の実施の形態おいて表示されるＧＵＩ画面の一例を示す図である。
【図４】従来のＧＵＩ画面の表示例を示す図である。
【図５】本発明の実施の形態の変形例において表示されるＧＵＩ画面の一例を示す図である。
【図６】本発明の実施の形態の変形例において表示されるＧＵＩ画面の他の例を示す図である。
【図７】本発明の実施の形態の変形例において表示されるＧＵＩ画面のさらに他の例を示す図である。
【図８】本発明の実施の形態の変形例において表示されるＧＵＩ画面のさらに他の例を示す図である。
【符号の説明】
【００４５】
１  映像出力装置
２  ディスプレイ装置
３  ＨＤＭＩケーブル
１１  ＧＵＩグラフィック生成部
１２  解像度変換部
１３  映像合成部
１４  ＨＤＭＩ変換部
１５  コネクタ部
１６  システム制御部
１７  メモリ
２１  ＨＤＭＩ制御部
２２  メモリ
【図１】
2009025343.tif 000003
【図２】
2009025343.tif 000004
【図３】
2009025343.tif 000005
【図４】
2009025343.tif 000006
【図５】
2009025343.tif 000007
【図６】
2009025343.tif 000008
【図７】
2009025343.tif 000009
【図８】
2009025343.tif 000010